(57)【要約】【課題】  質量体を装着することで低重心化および慣性モーメントを増大しながら、質量体の変形をも抑制することが可能となるゴルフクラブヘッドおよび該ヘッドを備えたゴルフクラブを提供する。【解決手段】  ゴルフクラブヘッド１は、ヘッド本体と、プレート状の質量体４とを備える。ヘッド本体は、フェース部と、クラウン部と、ソール部２と、バック部３ａを含むサイド部３と、上記の質量体４を取付ける凹状取付部とを有する。凹状取付部は少なくともソール部２に設けられ、該凹状取付部に質量体４を装着する。質量体４は、中央部に凹部と、周縁部に該凹部を囲むように設けられた壁部とを含む。【選択図】        図１
2005312940.tif 000002
【特許請求の範囲】
【請求項１】
ソール部（２）を含むヘッド本体と、
前記ソール部（２）の外表面に取付けられるプレート状の質量体（４）とを備え、
前記ヘッド本体は前記質量体（４）を取付ける凹状取付部（２ａ）を有し、
前記質量体（４）は、中央部に凹部（４ａ）を規定するように周縁部から立ち上がり前記質量体（４）を補強する壁部（４ｂ）とを含み、前記凹状取付部（２ａ）に装着される、ゴルフクラブヘッド。
【請求項２】
前記凹状取付部（２ａ）を前記ソール部（２）の周囲に位置する前記ヘッド本体の外表面上に達するように設け、
前記質量体（４）の周縁部の一部を前記ソール部（２）の周囲に位置する前記ヘッド本体の外表面上にまで延在させた、請求項１に記載のゴルフクラブヘッド。
【請求項３】
前記質量体（４）は、前記凹部（４ａ）内に凸部（４ｃ）を有し、
前記ヘッド本体は、前記凸部（４ｃ）を受入れる貫通孔（２ｂ）と、該貫通孔（２ｂ）の周囲に受け部（２ｃ）とを有し、
前記凸部（４ｃ）の先端部を塑性変形させ、該変形した前記凸部（４ｃ）の先端部を前記受け部（２ｃ）で受けるようにした、請求項１または請求項２に記載のゴルフクラブヘッド。
【請求項４】
前記凸部（４ｃ）の付根部の周囲に位置する前記凹部（４ａ）に厚肉部（４ｅ）を設けた、請求項３に記載のゴルフクラブヘッド。
【請求項５】
前記凹状取付部（２ａ）の周縁部に、前記質量体（４）の前記壁部（４ｂ）を受入れる溝部（２ｄ）を設け、
前記溝部（２ｄ）内に前記壁部（４ｂ）を受入れた状態で前記質量体（４）を前記凹状取付部（２ａ）に装着した、請求項１から請求項４のいずれかに記載のゴルフクラブヘッド。
【請求項６】
フェース部、クラウン部、サイド部（３）、ソール部（４）を含むヘッド本体と、
前記ソール部（４）から前記サイド部（３）にわたって前記ヘッド本体に形成された凹状取付部（２ａ）と、
前記凹状取付部（２ａ）に取付けられ前記ソール部（４）上から前記サイド部（３）上にわたって延在するプレート状の質量体（４）とを備え、
前記質量体（４）は、中央部に凹部（４ａ）と、周縁部に前記凹部（４ａ）を囲むように設けられた壁部（４ｂ）とを含み、
前記凹状取付部（２ａ）の周縁部に前記壁部（４ｂ）を受入れる溝部（２ｄ）を設け、
前記溝部（２ｄ）内に前記壁部（４ｂ）を受入れた状態で前記ヘッド本体に前記質量体（４）を装着した、ゴルフクラブヘッド。
【請求項７】
前記質量体（４）の壁部（４ｂ）は、前記ソール部（４）の外周方向に前記サイド部（３）の外表面に沿って延びる湾曲部（４ｂ１）を有し、
前記湾曲部（４ｂ１）を前記サイド部（３）の外表面と係合させた状態で、前記ヘッド本体に前記質量体（４）を装着した、請求項６に記載のゴルフクラブヘッド。
【請求項８】
前記質量体（４）を、前記サイド部（３）の一部であって前記フェース部の後方側に位置するバック部（３ａ）の外表面上に延在させた、請求項６または請求項７に記載のゴルフクラブヘッド。
【請求項９】
請求項１から請求項８のいずれかに記載のゴルフクラブヘッドを備えたゴルフクラブ。
【発明の詳細な説明】
【技術分野】
【０００１】
本発明は、ゴルフクラブヘッドおよびゴルフクラブに関し、特に、低重心化と慣性モーメント増大との双方が可能となるゴルフクラブヘッドおよび該ヘッドを備えたゴルフクラブに関する。
【背景技術】
【０００２】
近年、ゴルフクラブヘッドの大型化が進んでおり、そのためにヘッド本体の材料として高強度な金属材料であるチタンやチタン合金を用いることが主流となってきている。このようにゴルフクラブヘッドが大型化された場合でも、ゴルフクラブにとってボールの飛距離が重要な要素であることに変わりはなく、特にウッド型ゴルフクラブではボールの飛距離は重要である。
【０００３】
ボールの飛距離を向上する手法として、ゴルフクラブヘッドの反発係数を向上させる手法や、打球時のバックスピン量を低減するなどの手法が考えられる。ゴルフクラブヘッドの反発係数を向上させるには、フェース部を薄肉化したり、スイートスポットをフェース部において最も撓む箇所に配置するなどの手法が考えられる。他方、打球時のバックスピン量を低減するには、ゴルフクラブヘッドの重心位置を低くして打球時に上下方向のギア効果を利用する手法が考えられる。
【０００４】
また、ゴルフクラブにとって安定したショットを行えるか否かも重要である。安定したショットを可能とするためには、たとえばスイートスポット以外の箇所でボールを打撃した、いわゆるオフセット打撃の場合でも、所望の飛距離や方向性が得られるように、ヘッドの慣性モーメントを大きくすることが望ましい。
【０００５】
ゴルフクラブヘッドの重心位置を低くするには、たとえばゴルフクラブヘッドのソール部に重量体を設置することが考えられる。また、ゴルフクラブヘッドの適切な位置に重量体を設置することにより、ゴルフクラブヘッドの慣性モーメントを増大することも可能となる。
【０００６】
重量体やウェイト部材を装着したゴルフクラブヘッドが、たとえば特開平１０−９４６２３号公報、特開平１１−１２８４１５号公報、特開２０００−１７６０５９号公報、特開２００２−１１９６２７号公報に記載されている。
【０００７】
特開平１０−９４６２３号公報には、ソールプレートに重量体の圧入嵌合部を形成した金属製中空ゴルフクラブヘッドや、ソールプレートの裏面側に重量体の固定用の座繰り部を形成し、重量体とソールプレートの座繰り部とに貫通孔を形成し、この各貫通孔に金属製のピンを通し、該ピンを垂直方向に圧縮することによってピンの先端断面を押し広げて重量体をソールプレートに固定した金属製中空ゴルフクラブヘッドや、ソールプレートに該ソールプレートと同種の金属からなるスペーサーを介して重量体を溶接により一体的に固定した金属製中空ゴルフクラブヘッドが記載されている。
【０００８】
特開平１１−１２８４１５号公報には、ヘッド本体のソール壁部の底面に凹溝を形成するとともに、該凹溝の天井面または底面からソール壁部を貫通する貫孔を形成し、かつウエイト部材に突起部を一体形成し、さらに凹溝内にウエイト部材を嵌合するとともに貫孔に上記突起部を挿入し、該突起部を圧潰塑性変形させてヘッド本体とウエイト部材を固着したゴルフクラブヘッドが記載されている。
【０００９】
特開２０００−１７６０５９号公報には、ゴルフクラブのヘッドの受容部に第１の係合部を形成する一方、重量体に第２の係合部を形成し、スペーサを介して重量体を受容部内に圧入したときにスペーサが第１および第２の係合部に強制的に噛み合い係合したゴルフクラブヘッドが記載されている。
【００１０】
特開２００２−１１９６２７号公報には、重量体をソールプレートの外表面に露出するように固着し、露出した重量体の最大幅と該重量体を固定する位置におけるソールプレートの最小幅との関係や、露出した重量体の周辺部とソールプレートの周辺部との最小間隔を規定したゴルフクラブヘッドが記載されている。
【特許文献１】特開平１０−９４６２３号公報
【特許文献２】特開平１１−１２８４１５号公報
【特許文献３】特開２０００−１７６０５９号公報
【特許文献４】特開２００２−１１９６２７号公報
【発明の開示】
【発明が解決しようとする課題】
【００１１】
特開平１０−９４６２３号公報、特開２０００−１７６０５９号公報および特開２００２−１１９６２７号公報に記載のゴルフクラブヘッドでは、重量体の大部分がヘッド内部に位置しているので、ヘッドを充分に低重心することができず、また慣性モーメント増大効果も充分ではない。
【００１２】
それに対し、特開平１１−１２８４１５号公報に記載のゴルフクラブヘッドでは、ウェイト部材をソール壁部の外表面側に取付けているので、ヘッドの低重心化と慣性モーメントの増大とをともに行うことができる。
【００１３】
しかし、特開平１１−１２８４１５号公報に記載のゴルフクラブヘッドでは、単に塑性変形し易い材料で構成されたプレート状のウェイト部材をソール壁部に取付けているだけであり、ウェイト部材を積極的に補強してウェイト部材の変形を抑制するという観点からの工夫は全くなされていない。そのため、たとえば硬質な箇所や硬質部材にウェイト部材が当たった場合に、ウェイト部材が変形し易くなる。ウェイト部材が変形してその一部がソール底面から突出すると、ゴルフクラブをスイングした際にウェイト部材が下地に引っかかるなどしてスムーズなスイングが行えなくなったり、ウェイト部材の脱落という問題も生じ得る。
【００１４】
本発明は、上記のような課題を解決するためになされたものであり、質量体を装着することで低重心化および慣性モーメントを増大しながら、装着した質量体の変形をも抑制することが可能となるゴルフクラブヘッドおよび該ヘッドを備えたゴルフクラブを提供することを目的とする。
【課題を解決するための手段】
【００１５】
本発明に係るゴルフクラブヘッドは、１つの局面では、ソール部を含むヘッド本体と、ソール部の外表面に取付けられるプレート状の質量体とを備える。そして、ヘッド本体は上記の質量体を取付ける凹状取付部を有し、質量体は、中央部に凹部を規定するように周縁部から立ち上がり該質量体を補強する壁部を含み、凹状取付部に装着される。
【００１６】
上記凹状取付部をソール部の周囲に位置するヘッド本体の外表面上に達するように設け、質量体の周縁部の一部をソール部の周囲に位置するヘッド本体の外表面上にまで延在させてもよい。
【００１７】
また、上記質量体の凹部内に凸部を設け、ヘッド本体に、凸部を受入れる貫通孔と、該貫通孔の周囲（凹状取付部）に受け部とを設け、質量体の凸部の先端部（上端部）を塑性変形させ、該変形した凸部の先端部（上端部）を上記の受け部で受けるようにしてもよい。なお、質量体の壁部上端の少なくとも一部をヘッド本体内部に露出させる貫通孔をヘッド本体の凹状取付部に設け、該貫通孔の周囲の凹状取付部に受け部を設け、質量体の壁部上端を塑性変形させて壁部先端を当該受け部で受けるようにしてもよい。また、上記凸部の付根部の周囲に位置する凹部に厚肉部を設けてもよい。
【００１８】
上記凹状取付部の周縁部に、質量体の壁部を受入れる溝部を設け、該溝部内に壁部を受入れた状態で質量体を凹状取付部に装着してもよい。
【００１９】
本発明に係るゴルフクラブヘッドは、他の局面では、フェース部、クラウン部、サイド部およびソール部を含むヘッド本体と、ソール部からサイド部にわたってヘッド本体に形成された凹状取付部と、該凹状取付部に取付けられソール部上からサイド部上にわたって延在するプレート状の質量体とを備える。そして、質量体は、中央部に凹部と、周縁部に該凹部を囲むように設けられた壁部とを含み、凹状取付部の周縁部に壁部を受入れる溝部を設け、該溝部内に壁部を受入れた状態でヘッド本体に質量体を装着する。
【００２０】
上記質量体の壁部は、ソール部の外周方向にサイド部の外表面に沿って延びる湾曲部を有してもよい。この場合、該湾曲部をサイド部の外表面と係合させた状態でヘッド本体に質量体を装着することができる。また、上記質量体を、サイド部の一部であってフェース部の後方側に位置するバック部の外表面上に延在させてもよい。
【００２１】
本発明に係るゴルフクラブは、上記のようなゴルフクラブヘッドを備える。
【発明の効果】
【００２２】
本発明に係るゴルフクラブヘッドでは、ソール部の外表面にプレート状の質量体を装着しているので、ヘッドを低重心化しながらヘッドの慣性モーメントをも効果的に増大することができる。また、質量体の周縁部に補強用の壁部を設けることにより、質量体を補強することができ、ヘッド本体に質量体を取付けるために荷重を加えても質量体の変形を抑制できるので、容易かつ高精度にヘッド本体に質量体を取付けることができる。また、ヘッド本体への装着後の質量体の変形を抑制することができる。したがって、ゴルフクラブヘッドの低重心化と慣性モーメント増大との双方を実現しながら、ヘッドに装着した質量体の変形をも抑制することができる。
【００２３】
本発明に係るゴルフクラブは、上記のようなゴルフクラブヘッドを備えているので、ヘッドに装着された質量体の変形を抑制することができ、かつ低重心で慣性モーメントも増大したヘッドを備えたゴルフクラブとなり得る。
【発明を実施するための最良の形態】
【００２４】
以下、本発明の実施の形態について説明する。本発明は、ウッド型ゴルフクラブとアイアン型ゴルフクラブとの双方に適用可能であるが、ウッド型ゴルフクラブに有用である。
【００２５】
本実施の形態におけるゴルフクラブは、後述するゴルフクラブヘッドと、シャフトおよびグリップを備える。シャフトおよびグリップとしては周知のものを採用可能である。
【００２６】
本実施の形態におけるゴルフクラブヘッドは、典型的には金属製であり、たとえばチタン、チタン合金、ステンレス、アルミニウム、アルミニウム合金、マグネシウム、マグネシウム合金の中の少なくとも１つの材質で作製することができる。ウッド型ゴルフクラブの場合には、ゴルフクラブヘッドは、フェース部と、クラウン部と、ソール部と、サイド部と、ネック部（ホーゼル部）とを含むヘッド本体を有する。アイアン型ゴルフクラブの場合には、ゴルフクラブヘッドは、フェース部と、トップエッジ部と、ソール部と、バック部と、ネック部（ホーゼル部）とを含むヘッド本体を有する。
【００２７】
なお、ヘッド本体を一体の部材で構成してもよいが、フェース部やクラウン部などの各部をヘッド本体とは別パーツで構成し、各パーツを接合することによりヘッド本体を作製してもよい。また、各パーツを金属以外の材料で構成し、金属と金属以外の材料との複合材料でヘッド本体を作製してもよい。
【００２８】
本実施の形態におけるゴルフクラブヘッドは、ヘッド本体の外表面に取付けられるプレート状の質量体を備える。この質量体をヘッド本体に装着するために、ヘッド本体には質量体を取付けるための取付部を設ける。該取付部は、典型的には、凹状であり、ヘッド本体に設けた凹部（凹状取付部）で構成される。
【００２９】
上記の質量体の取付部は、少なくともソール部に設けられる。ソール部にのみ設けてもよいが、ソール部から該ソール部の周囲に位置するヘッド本体の外表面上に延在するように質量体の取付部を設けてもよく、ソール部と該ソール部の周囲に位置するヘッド本体との境界部（接続部）の外表面上に質量体の取付部を設けてもよい。
【００３０】
たとえば、ソール部から、サイド部におけるトウ部側にわたって延在するように質量体の取付部を設けてもよく、ソール部から、サイド部におけるバック部側にわたって延在するように質量体の取付部を設けてもよく、ソール部から、サイド部におけるヒール部側にわたって延在するように質量体の取付部を設けてもよく、ソール部から、サイド部におけるトウ部側およびバック部側にわたって延在するように質量体の取付部を設けてもよく、ソール部から、サイド部におけるヒール部側およびバック部側にわたって延在するように質量体の取付部を設けてもよい。
【００３１】
いずれの場合も、ソール部上から該ソール部の周囲に位置するヘッド本体の外表面上に達するように質量体をヘッド本体に装着することができ、ヘッドの重心位置から離れた位置に広範囲にわたって質量体を設置することができる。それにより、ヘッドの効果的な低重心化と慣性モーメントの増大とを同時に行うことができる。また、上記のような凹状の取付部をソール部に設けることにより、ソール部の剛性を向上することもでき、ヘッドの打球音改善にも寄与し得る。
【００３２】
上記の質量体の取付部の周縁部には、後述する質量体の壁部を受入れる溝部を設けることが好ましい。この溝部に質量体の壁部を嵌め込むことにより、質量体を強固にヘッド本体に固着することができ、ヘッド本体からの質量体の脱落を効果的に抑制することができる。上記の溝部は、質量体の取付部の全周に沿って連続的に設けてもよく、断続的に設けてもよい。また、上記の溝部は、ヘッド本体のソール部上にのみ連続的または断続的に設けられる場合もあるが、ソール部上とサイド部上との双方に連続的または断続的に設けてもよい。
【００３３】
質量体の取付部の外周形状は、質量体の外周形状と同形状であることが好ましい。それにより、質量体をヘッド本体の取付部に嵌着した際に、該取付部を質量体で覆うことができ、ゴルフクラブヘッドの外観を向上することができる。
【００３４】
なお、質量体の取付部は、ヘッド本体を鋳造にて作製する場合には、ヘッド本体の成形時に同時に成形すればよく、ソール部やサイド部を含むパーツを鍛造などで作製する場合には、鍛造によっても形成可能である。
【００３５】
上記の質量体は、典型的には、ヘッド本体を構成する材料よりも高比重の材料で構成され、上述の凹状取付部に装着される。たとえば、上述のようなチタンなどの比較的低比重である各種金属を用いてヘッド本体を構成した場合、質量体を、タングステン合金、Ｂｅ−Ｎｉ合金、ステンレスなどの高比重の金属で構成する。なお、複数のパーツを組み合わせてヘッド本体を作製した場合、全てのパーツの比重よりも高比重の材料で質量体を構成することが好ましい。
【００３６】
質量体の形状は、任意に選択可能であるが、典型的にはプレート状の形状とする。そして、質量体においてヘッドの外表面に露出する側の表面の面積を比較的大きくするとともに、質量体の厚みを薄くすることが好ましい。質量体の形状を上記のようなプレート状の形状とすることにより、ヘッド本体の外表面に沿って広範囲にわたって質量体を配置することができ、ヘッドの重心位置の調整を効果的に行えるとともに、ヘッドの慣性モーメントをも効果的に増大することができる。
【００３７】
質量体は、中央部に凹部を規定するように周縁部から立ち上がり該質量体を補強する壁部（突出部：厚肉部）を有する。典型的には、質量体は、中央部の凹部を囲むように周縁部上に設けられた壁部を含む。たとえば、ソール部の外表面に沿うなだらかな湾曲形状の薄板状の中央部と、該中央部の周囲に立ち上がる壁部とを有する。質量体の中央部の凹部に、上記以外の壁部などの凸部を設けてもよい。
【００３８】
質量体の中央部の厚みは、たとえば０．５ｍｍ以上５ｍｍ以下程度とすることが考えられる。質量体の壁部は、質量体の中央部を取り囲むように質量体の周縁部上に連続的に設けられることが好ましいが、質量体を補強できるものであれば上記の壁部を質量体の周縁部上に断続的に設けてもよい。このように質量体の周縁部に壁部を設けることにより、質量体を補強することができ、ヘッド本体に質量体を取付けるために質量体に荷重を加えても質量体の変形を抑制できるので、容易かつ高精度にヘッド本体に質量体を取付けることができる。また、ヘッド本体に質量体を装着した後に質量体が変形することをも効果的に抑制することができる。
【００３９】
質量体がヘッド本体のソール部上からサイド部上に延在する場合、上記の質量体の壁部は、ソール部上に配置されるソール上部分と、サイド部上に配置されるサイド上部分と、ソール部とサイド部との境界部上に配置される境界上部分とを有する。ソール上部分は、直線状の形状であっても湾曲形状であってもよいが、境界上部分とサイド上部分は、ソール部の外周方向にサイド部の外表面に沿って湾曲する湾曲形状とすることが好ましい。壁部がかかる湾曲部を有することにより、質量体の壁部におけるサイド上部分（湾曲部）をヘッド本体と係合させた状態で質量体をヘッド本体に取付けることができ、質量体を強固かつ安定してヘッド本体に取付けることができる。
【００４０】
また、上記の境界上部分やサイド上部分（湾曲部）の厚みを、ソール上部分や質量体の中央部の厚みより厚くすることが好ましい。それにより、ヘッド本体のソール部の周囲に多くの質量を配置することができ、さらに効果的にヘッドの重心位置や慣性モーメントの調節を行える。また、質量体の底面（ゴルフクラブヘッドの外表面側に配置される表面）からのサイド上部分（湾曲部）の突出高さを、該底面からのソール上部分の突出高さより高くしてもよい。この場合も同様の効果を期待できる。
【００４１】
質量体の底面からの該質量体の壁部の高さは、たとえば１ｍｍ以上１０ｍｍ以下とすることが考えられる。該壁部の高さは、壁部の位置によって適宜調節することが好ましい。たとえば、壁部におけるソール上部分の突出高さを１ｍｍ以上５ｍｍ以下程度とし、サイド上部分の突出高さを５ｍｍ以上１０ｍｍ以下程度とすることが考えられる。
【００４２】
上記質量体の凹部内に凸部を設けてもよい。該凸部は、主に質量体をヘッド本体に固定する機能を有する。この凸部の形状は任意に選択可能であるが、たとえば円柱や角柱などの柱状の形状とすることが考えられる。凸部の数も任意に選択可能であるが、複数とすることが好ましい。該凸部の付根部の周囲に位置する凹部底面に厚肉部を設けてもよい。凸部の付根部の周囲に上記のような厚肉部を設けることで凸部の付根部を補強することができる。それにより、凸部先端を変形させた際の該凸部直下に位置する質量体の変形量を低減することができ、凸部が設けられた側と反対側の質量体の表面に凸部先端を変形させた際に隆起部分が形成されるのを効果的に抑制することができる。
【００４３】
質量体の凹部内に上記のような凸部を設けた場合、ヘッド本体に、該凸部を受入れる貫通孔と、該貫通孔の周囲（凹状取付部）に受け部とを設け、質量体の凸部の先端部（上端部）を塑性変形させ、該変形した凸部の先端部を上記の受け部で受けるようにしてもよい。それにより、該変形した凸部の先端部を凹状取付部の受け部で係止することができ、質量体をヘッド本体に固定することができる。
【００４４】
なお、質量体の壁部先端（上端）の少なくとも一部をヘッド本体内部に露出させる貫通孔をヘッド本体の凹状取付部に設け、該貫通孔の周囲の凹状取付部に受け部を設け、質量体の壁部先端を塑性変形させて壁部先端を当該受け部で受けるようにしてもよい。質量体の壁部先端（上端）の一部をヘッド本体内部に露出させる場合には、質量体の壁部先端（上端）を局所的に高くし、該高くなった部分の質量体の壁部先端（上端）をヘッド内部空間に露出させる貫通孔を凹状取付部に設け、露出した壁部先端を塑性変形させるようにすればよい。また、質量体の凸部と壁部の双方を塑性変形させて質量体をヘッド本体に固着してもよい。
【００４５】
なお、上記のような質量体を作製するには、鋳造、プレス、鍛造、金属粉末射出成形など様々な手法を採用することができる。
【００４６】
次に、図１〜図１２を用いて本発明の実施例およびその変形例について説明する。
【実施例１】
【００４７】
まず、図１〜図６を用いて、本発明の実施例１について説明する。本実施例１では、ウッド型ゴルフクラブに本発明の思想を適用している。本実施例１のウッド型ゴルフクラブは、図１に示すゴルフクラブヘッド１と、周知のシャフトおよびグリップとを備える。
【００４８】
本実施例１のゴルフクラブヘッド１は、チタン合金製であり、図１に示すように、ヘッド本体と質量体４とを備える。ヘッド本体は、フェース部と、クラウン部と、ソール部２と、バック部３ａを含むサイド部３と、ホーゼル部とを有する。
【００４９】
本実施例１では、図１に示すように、ヘッド本体のソール部２上から、サイド部３のバック部３ａ上にわたって延在するように質量体４をヘッド本体に取付けている。このように質量体４をヘッド本体に取付けるために、図２に示すように、ヘッド本体のソール部２から、サイド部３のバック部３ａにわたって凹状取付部２ａを設けている。
【００５０】
凹状取付部２ａは、凹状の形状を有し、周縁部に溝部２ｄを有する。本実施例２では、溝部２ｄは、ソール部２上に位置する凹状取付部２ａの周縁部から連続してサイド部３上にわたって設けられている。ソール部４の底面からの凹状取付部２ａの中央部の深さは１ｍｍであり、溝部２ｄの深さはソール部上では３ｍｍである。他方、サイド部３上に位置する底面からの長さは、５ｍｍ〜６ｍｍである。
【００５１】
図３に、本実施例１において使用可能な質量体４の一例を示す。質量体４は、タングステン合金製であり、図３に示すようにプレート状の形状を有し、中央部に凹部４ａと、周縁部に該凹部４ａを囲むように設けられた壁部４ｂとを含む。壁部４ｂは、サイド部３におけるバック部３ａに沿う湾曲部４ｂ１と、該湾曲部４ｂ１以外の部分でありソール部上に配置されるソール上部分とを有する。質量体４の中央部の厚みは１ｍｍであり、図１に示す質量体４の底面（外表面）からのソール上部分の高さは３ｍｍであり、湾曲部４ｂ１の高さは５〜６ｍｍである。
【００５２】
本実施例１におけるゴルフクラブヘッド１を作製するには、まず鋳造などにより図２に示す形状のチタン合金製のヘッド本体を作製する。他方、鍛造などによりチタン合金製のフェースパーツを作製する。溶接などの手法でヘッド本体にフェースパーツを接合し、接着剤、圧入などの手法で質量体４をヘッド本体に取付ける。それにより。本実施例１のゴルフクラブヘッド１を作製することができる。そして、該ゴルフクラブヘッド１をシャフトおよびグリップと接続することにより、ゴルフクラブを作製することができる。
【００５３】
次に、質量体４の形状の変形例について図４および図５を用いて説明する。
【００５４】
図４に示すように、質量体４の中央部の凹部４ａに柱状の凸部４ｃを形成してもよい。該凸部４ｃは、質量体４の成形と同時に成形すればよい。また、図５に示すように、壁部４ｂに切欠き部４ｂ２を設け、壁部４ｂを断続的に設けてもよい。
【００５５】
図４に示すように質量体４に凸部４ｃを設けた場合、図６に示すように、該凸部４ｃを受入れる貫通孔２ｂと、該貫通孔２ｂの周囲の凹状取付部２ａに受け部２ｃとを設ける。受け部２ｃは、ヘッド本体の内部空間側に位置する凹状取付部２ａの表面から立ち上がるように設けられ、受け部２ｃの上端面を平坦面で構成する。そして、質量体４の凸部４ｃの先端部（上端部）を塑性変形させて塑性変形部（かしめ部）４ｄを形成し、該塑性変形部４ｄを受け部２ｃで受けるようにする。それにより、質量体４をヘッド本体に固着することができる。
【００５６】
なお、図６の例では、本実施例１のゴルフクラブヘッド１では、質量体４の壁部４ｂにおけるソール上部分や湾曲部（サイド上部分）４ｂ１を凹状取付部２ａの周縁の溝部２ｄ内に受入れた状態で質量体４をヘッド本体に固着している。また、図６の例では、質量体４の底面（図６では下側の表面）からの湾曲部４ｂ１の立上り高さは、該底面からのソール上部分の立上り高さよりも高くなっている。このように湾曲部４ｂ１の立上り高さを高くすることにより、バック部３ａ側（後方側）に多くの質量を配置することができ、重心深度を深くすることができる。
【実施例２】
【００５７】
次に、図７〜図９を用いて、本発明の実施例２について説明する。本実施例２では、図７に示すようにソール部２にのみ質量体４を固着している。そのために図８に示すようにソール部２にのみ凹状取付部２ａを設けている。
【００５８】
また、本実施例２では、図７に示すような２つの凸部４ｃを中央部に有するタイプの質量体４を採用し、図８に示すように、該２つの凸部４ｃを受入れる２つの貫通孔２ｂを凹状取付部２ａに設けている。そして、図９に示すように、貫通孔２ｂ内に凸部４ｃを受入れた状態で凸部４ｃの先端を塑性変形させて塑性変形部４ｄを形成し、貫通孔２ｂの周囲の受け部２ｃの平坦面で該塑性変形部４ｄを受けるようにしている。
【００５９】
また、図８に示すように、本実施例２では、凹状取付部２ａの全周にわたって連続的に溝部２ｄを設け、該溝部２ｄ内に、図９に示すように、質量体４の壁部４ｂを嵌合している。なお、図９の例では溝部２ｄの深さは、凹状取付部２ａの全周にわたってほぼ均一であるが、溝部２ｄの深さを局所的に異ならせてもよい。たとえば、バック部３ａ側に位置する溝部２ｄの深さを、フェース部側に位置する溝部２ｄの深さよりも深くすることが考えられる。上記以外の構成については実施例１と基本的に同様である。
【実施例３】
【００６０】
次に、図１０〜図１２を用いて、本発明の実施例３とその変形例について説明する。本実施例３では、図１０および図１１に示すように凸部４ｃの周囲に厚肉部４ｅを設けている。より詳しくは、凸部４ｃの付根部の周囲に位置する凹部４ａ表面に環状の厚肉部４ｅを設けている。この厚肉部４ｅの外径は１０ｍｍであり、厚みは３ｍｍである。また、凹部４ａの底面からの厚肉部４ｅの突出高さは２ｍｍである。
【００６１】
本実施例３では、厚肉部４ｅの周囲に位置する質量体４の厚み（凹部４ａの底部の厚み）が１ｍｍであることから、厚肉部４ｅは、該厚肉部４ｅの周囲に位置する凹部４ａの底部よりも２ｍｍ厚く、該凹部４ａの底部の厚みの３倍の厚みを有することとなる。
【００６２】
図１１に示すように、厚肉部４ｅは、典型的には、凹状取付部２ａに設けた受け部２ｃの直下に配置される。この厚肉部４ｅによって受け部２ｃを支持することができる。
【００６３】
図１０および図１１の例では、凸部４ｃの付根部にほぼ均一な厚みの段差部を設けることで厚肉部４ｅを設けているため厚肉部４ｅの厚みはほぼ一定であるが、厚肉部４ｅの厚みを変化させてもよい。たとえば図１２に示すように、厚肉部４ｅをテーパ状とし、その外周に向かうにつれて厚肉部４ｅの厚みを徐々に低減させてもよい。
【００６４】
以上のように本発明の実施の形態および実施例について説明を行なったが、各実施の形態および実施例の構成を適宜組み合わせることも当初から予定している。また、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【産業上の利用可能性】
【００６５】
本発明は、ゴルフクラブヘッドおよび該ヘッドを備えたゴルフクラブに有効に利用され得る。
【図面の簡単な説明】
【００６６】
【図１】本発明の実施例１におけるゴルフクラブヘッドの斜視図である。
【図２】図１のゴルフクラブヘッドにおいて質量体を外した状態の斜視図である。
【図３】質量体の形状例を示す斜視図である。
【図４】質量体の他の形状例を示す斜視図である。
【図５】質量体のさらに他の形状例を示す斜視図である。
【図６】本発明の実施例１のタイプのゴルフクラブヘッドの部分断面図である。
【図７】本発明の実施例２におけるゴルフクラブヘッドの斜視図である。
【図８】図７のゴルフクラブヘッドにおいて質量体を外した状態の斜視図である。
【図９】本発明の実施例２のタイプのゴルフクラブヘッドの部分断面図である。
【図１０】本発明の実施例３のゴルフクラブヘッドにおいて使用される質量体の形状例を示す斜視図である。
【図１１】本発明の実施例３のタイプのゴルフクラブヘッドの部分断面図である。
【図１２】図１１に示すゴルフクラブヘッドの変形例の部分断面図である。
【符号の説明】
【００６７】
１  ゴルフクラブヘッド、２  ソール部、２ａ  凹状取付部、２ｂ，５  貫通孔、２ｃ  受け部、２ｄ  溝部、３  サイド部、３ａ  バック部、４  質量体、４ａ  凹部、４ｂ  壁部、４ｂ１  湾曲部、４ｂ２  切欠き部、４ｃ  凸部、４ｄ  塑性変形部、４ｅ  厚肉部。
【図１】
2005312940.tif 000003
【図２】
2005312940.tif 000004
【図３】
2005312940.tif 000005
【図４】
2005312940.tif 000006
【図５】
2005312940.tif 000007
【図６】
2005312940.tif 000008
【図７】
2005312940.tif 000009
【図８】
2005312940.tif 000010
【図９】
2005312940.tif 000011
【図１０】
2005312940.tif 000012
【図１１】
2005312940.tif 000013
【図１２】
2005312940.tif 000014